(57)【要約】      （修正有）【課題】コートや床に散乱したテニスボールや卓球ボール等を迅速かつ効率的に排除、もしくは回集するための特定の場所へ移送・収集することができるボール収集具を提供する。【解決手段】本体フレームには、それを押し引きして操作するための上下方向に可動な操作棒６、およびボールを真っ直ぐに押し出し、かつ上下左右からのボールのこぼれを防止するための中央の収集板２と左右の補助板３を有し、操作棒６の取り付け部を中心部として前後左右の４ヵ所にあらゆる方向への走行を可能にする旋回式車輪７を備えた。【選択図】図２
2016016309.tif 000002
【特許請求の範囲】
【請求項１】
本体フレームには、それを押し引きして操作するための上下可動型操作棒、およびボールを真っ直ぐに押し出し、かつ上下左右からのボールのこぼれを防止するための中央の収集板と左右の補助板を有し、操作棒の取り付け部を中心部として前後左右の４ヵ所にあらゆる方向への走行を可能にする旋回式車輪を備えたボール収集具。
【発明の詳細な説明】
【技術分野】
【０００１】  本発明は、テニスコートや体育館の床に散乱したテニスボールや卓球ボール等を迅速、かつ効率的に排除、もしくは回集するための特定の場所へ移送、収集するためのボール収集具に関するものである
【背景技術】
【０００２】  通常、テニスや卓球等の練習においては、１００個、２００個といった多数のボールを使用し、それがコートや床の広範囲に乱雑に散らばることが多々あった。
散らばったボールは、練習継続の邪魔になるばかりでなくプレイ中に踏んだりした場合、転倒の危険性が高くなるため、なるべく迅速に回収、もしくはプレイに支障のない箇所への移動が必要だった。
この作業においては、特にそのための用具や機械等がなければ腰をかがめ手でボールを一つ一つ拾い集めるか自分のラケットを使いラケットの先端で散らばったボールを一つ一つ弾き飛ばし周りの壁や防球ネット等に一時的に集め、集まったところで、手で拾い集めるという方法をとることが多かった。
腰を落としたまま移動しながら散らばったボールを集める前者の方法は少人数の場合、脚力の疲労がたまったり腰に負担がかかることに懸念があり、かつ時間的にも効率的とは言えなかった。
立ったまま集めて最後に拾い上げる後者の方が、体力的に負担が少なくてすむし練習中であればまずコート内からボールを排除することが優先されるため後者が選択されることは必然といえる。
【先行技術文献】
【特許文献】
【０００３】
【特許文献１】  特開２００４−３９２号公報
【特許文献２】  特開２００２−３２５８６５号公報
【特許文献３】  実開平８−４４９号公報
【発明の概要】
【発明が解決しようとする課題】
【０００４】  練習中にコートに散在しているボールは、練習の邪魔になるばかりでなく踏んで転倒することもあるため危険だった。
よって、迅速な排除が必要であった。
また、練習後にコート上に散在しているボールを回収するには時間と労力がかかってしまう。
ボール回収を目的とした従来の商品は、そのほとんどがコート外へボールを排除することよりも同時に拾い集めることを目的としたものが多かった。
特許文献１は、主輪、及びボールを巻き込む回転板、取り込んだボールを収納する網などからなる装置であり、装置をボールの方向へ押し出し主輪の回転により連動する回転板がボールを巻き込み後方の網にボウルを取り込んでいく仕組みになっている。
この類の装置は、複雑な機構を要し、広範囲に集められるように大型化すればその分高価にもなり重量も重くなるであろうし、実際に実用化され普及しているものはあまりないような状況である。
さらに、大きさによっては待機時において、その大きさが仇になりプレイの邪魔になるばかりかプレーヤーが衝突する可能性が高くなり危険であった。
コートの近くに置けなければ練習時の器具としては、利便性に欠けるものとなってしまう。
安価に作成、もしくは購入可能なものはその可動範囲が狭かった。
特許文献２では、棒の先にネットの付いた籠状のものを固定しておき片方の手で棒を持ち籠の開口部をボール側に向け、もう一方の手でラケットを操作しラケットの先端部でボールを籠の中へかき入れるシステムのものであった。
これは広範囲に多くのボールが散在した現場では時間的なところで効率性に欠けてしまう。
特許文献３においては、横長の箱状の収集部にハンドルをつけ、それを散在しているボールに押し当てることによりボールを一カ所に集め、集まったところで壁等に押し付けることにより箱の中に取り込むものである。
こちらは、箱をボールに押し出していく際、その摩擦によりコートを傷つけてしまう恐れがある。
コート面に触れないように、ボールの高さを越えないような高さを維持しつつ押していく必要があるが、この場合、シニアクラスの高齢者やジュニアクラスの子供たちが操作するには、困難かつ面倒であると考えられる。
広範囲のボールを集めるために横に長くすればするほど重さも増し、操作性も悪くなる可能性大である。
実際の練習の現場においては、高額な費用を要してまで楽な器具を使用しなくても人海戦術を駆使しつつ広範囲に広がったボールを迅速かつ効率的にコート外への排除、もしくは収集できるということが最も求められるところであると考えられる。
本発明は以上の問題点を解決するものである。
【課題を解決するための手段】
【０００５】  本体フレームには、それを押し引きして操作するための上下可動型操作棒、およびボールを真っ直ぐに押し出しかつ上下左右からのボールのこぼれを防止するための中央の収集板と左右の補助板を有し、操作棒の取り付け部を中心部として前後左右の４カ所にあらゆる方向への走行を可能にする旋回式車輪を備えるものである。
【発明の効果】
【０００６】  本発明は、コートや床に散在したテニスボールや卓球ボール等を迅速かつ効率的に排除、もしくは回集する特定の場所へ移送、収集することができる。
ボールを拾い上げる目的ではなく、押し出すことによりボールをコート外へ排除、もしくは特定の場所への収集する目的のため構造は至ってシンプル、ゆえに構造体の重量は軽くてすむ。
構造がシンプルなことで軽量であること、車輪使用による接地面との摩擦軽減、および操作棒が上下可動型であることにより操作自体を軽快にすることができ、老若男女、体力の差に関係なく、さらに身長の高低にかかわらず扱えることを可能にしている。
また、このことは収集板の幅を広く作れることにつながり、一度に押し出せる範囲を広くとることができるため、より迅速かつ効率的な作業を可能とするものである。
車輪を使用することは、コートへの摩擦を最小限に抑えることができるため、コートの損傷が少なくてすむ利点となっている。
また、幅をいくら広くとっても奥行きは一定に維持できるため、コートの端に待機させておく場合でもプレイの邪魔になる危険性は低く抑えることが可能である。
【図面の簡単な説明】
【０００７】
【図１】  本発明の斜視図
【図２】  本発明の使用状態を示した斜視図
【発明を実施するための形態】
【０００８】  以下、本発明の実施の形態を説明する。
本体フレーム１（１ａ，１ｂ，１ｃ）は、アルファベットのＨ様の形をしており、収集板２が取り付けてある開口部が広くなるようにＨの縦棒となる部位（１ｂ，１ｃ）が斜めに取り付けられた形になっている。
本体フレーム１ｂ，１ｃの両端４ヵ所の下面に旋回式車輪７が取り付けられている。
操作棒６の接続部は、本体フレーム１ａの中央の上面に位置する。
操作棒６はジョイント４により本体１ａに固定された接続パイプ５と連結している。
収集板２、および補助板３は地面に対して垂直になるように、かつ板の下部が地面に接しない高さで、摩擦でボールを跨ぐことがないようボールの半径よりも低い位置に本体フレーム１と接合されている。
本発明は以上のような構造である。
本発明を使用するときは、操作棒６を持ち、本体フレーム１を収集板２のついている方向に押し出し収集板２にボールを押し当てていく。
押し当てられたボールは本体１の向かう方向へ押し出され転がることでコート外へ排除、もしくは回収作業を行うための目標となる地点へ移送、収集されることとなる。
本体フレーム１は４個の旋回式車輪７が取り付けられているためコート面に対して摩擦力をほとんど感じることなく移動できる。
また、旋回式車輪７はその旋回式の利点により容易、かつ迅速に操作棒６を押し出す方向に３６０度、どの方向へも転回できるようになっている。
よって子供から高齢者に至るまで非力な方でも簡単に操作することができるし、また、そのことは本体フレーム１ａの収集部の大きさを広くできることへも繋がり一度の操作で収集できる範囲の拡張が期待できる。
車輪による摩擦の低減はそのままコートや床に対する損傷を最低限に抑えることへも繋がるものである。
収集板２、および補助板３は地面に対して垂直になるように本体フレーム１と接合されている。
各々の板は四輪の車輪の内側に取り付けられているため四輪すべてが地面に設置している限りフラットなコート上においては、常に地面に対して垂直に維持されることとなる。
このことは押し出すボールが常に地面に対して平行に押し出されることにつながる。
仮に収集板３が地面に対し上向きになった場合、収集板３に当たったボールは板との摩擦により上方向へ向かう回転がかかり浮き上がってしまう。
浮き上がる力が強ければボールは、そのまま板を乗り越え後方へと零れて行ってしまう。
乗り越えるほどの勢いがなかった場合でも浮き上がってしまったところへあとから来たボールがその下に入り込みボールがぶつかり合った勢いで上に押し上げられ結果として板を乗り越えてしまう可能性が高くなる。
また、収集板３が地面に対して少しでも下向きになった場合、収集板３に当たったボールとの摩擦により本体が上方向に押し上げられる形になり、勢いが強く摩擦力が強くなれば本体フレーム１が高く浮き上がり収集板３の下からこぼれる形になる可能性が高くなる。
このようにボールを押し出して集めるには常に収集板３は地面に対して垂直にしてボールを地面に対して平行に押し出さなければならないが本用具の特性は、常にその状況を維持できるものである。
Ｈ型におけるさらなる利点は、収集板に当たったボールが横方向にこぼれ出ないよう補助板３が取り付けられることにある。
補助板３も収集板２同様、地面に対して常に垂直であることが維持できるため横方向はもちろん上下へのボールの取りこぼしも防止できることとなる。
操作棒６はジョイント４により本体フレーム１ａに固定された接続パイプ５と連結しているが、ジョイント４は接続パイプ５に対し固定されておらずパイプ５を軸に回転できるようになっている。
結果として操作棒６は上下に動くことが可能となるため操作する者の身長に合わせた高さが維持できることとなり、操作する者の身長を選ばないということにつながる。
また、操作棒６の接続部は本体フレーム１の中央部になる横棒の真ん中に位置するため操作棒からの力が常に本体１の中央に働くことになり、そのことは本体フレーム１の前方が浮いたり逆に後方が浮いたりすることなく維持できることと方向を操作するうえでの力を少なくすることができる重要な要素となっている。
【符号の説明】
【０００９】    １  本体フレーム
２  正面メイン収集板（収集板）
３  側面補助収集板（補助板）
４  操作棒部接続ジョイント（ジョイント部）
５  本体部接続パイプ（パイプ部）
６  操作棒
７  旋回式車輪
【図１】
2016016309.tif 000003
【図２】
2016016309.tif 000004